(57)【要約】【課題】本考案は、ロック機構を備える持ち手を折畳み可能な合図灯の提供。【解決手段】ケーシングの上面に、左右に離隔対面して取付けられる左起立支板部と右起立支板部に、同一軸線上で左右に離隔する左軸受孔と右軸受孔をそれぞれ設け、前記左起立支板部と右起立支板部の下縁に底板部が接続されるブラケットを設け、このブラケットをケーシングの上面に固着し、前記左起立支板部と右起立支板部の間に持ち手の基部の端面を前面に差入れ、前記左起立支板部の左軸受孔と、右起立支板部の右軸受孔に差し渡された支軸を持ち手の基部に設けた軸受孔に遊嵌挿し、その支軸を中心として持ち手を略９０度回転自在に支承し、その持ち手の基部の軸受孔の後方側に固着用孔を上下に貫通して開設し、ケーシングの上面または内方に設けた受け金の固着用ネジ孔に螺合する固着用締付けネジを遊嵌挿してなる。【選択図】図１
0003110771.tif 000002
【実用新案登録請求の範囲】
【請求項１】
ケーシングの上面に、左右に離隔対面して取付けられる左起立支板部と右起立支板部に、同一軸線上で左右に離隔する左軸受孔と右軸受孔をそれぞれ設け、前記左起立支板部と右起立支板部の下縁に底板部が接続されるブラケットを設け、このブラケットをケーシングの上面に固着し、前記左起立支板部と右起立支板部の間に持ち手の基部の端面を前面に差入れ、前記左起立支板部の左軸受孔と右起立支板部の右軸受孔に差し渡された支軸を持ち手の基部に設けた軸受孔に遊嵌挿し、その支軸を中心として持ち手を略９０度回転自在に支承し、その持ち手の基部の軸受孔の後方側に固着用孔を上下に貫通して開設し、ケーシングの上面または内方に設けた受け金の固着用ネジ孔に螺合する固着用締付けネジを遊嵌挿してなる合図灯における持ち手の折畳み可能な配備装置。
【請求項２】
前記左起立支板部と右起立支板部の前縁には前起立支板部が接続されるブラケットを設けなる請求項１の合図灯における持ち手の折畳み可能な配備装置。
【請求項３】
前記固着用締付けネジは、摘んで回すことが可能なように、上端に摘み部を設け、その下方を締付け当て面となるフランジに形成し、かつ、ネジ部に外れ止を備えてなる請求項１または請求項２の合図灯における持ち手の折畳み可能な配備装置。
【請求項４】
前記持ち手の基部の固着用孔の下半は、拡径して固着用締付けネジのネジ部の外れ止を収容する収容部に形成してなる請求項１、請求項２または請求項３の合図灯における持ち手の折畳み可能な配備装置。
【請求項５】
前記持ち手は、略Ｕ字形に形成してなる請求項１、請求項２、請求項３または請求項４の合図灯における持ち手の折畳み可能な配備装置。
【請求項６】
前記受け金は、両端部に比較して中央部を中高に、一枚の鋼板を折曲形成し、中央部の両脇の左右斜面部をケーシングの天井面から下方へ突出して形成される取付け座の内側面に連接して配備してなる請求項１、請求項２、請求項３、請求項４または請求項５の合図灯における持ち手の折畳み可能な配備装置。
【請求項７】
合成樹脂の射出成型体であるボックス形のケーシングの上面に、左右に離隔対面して取付けられる左起立支板部と右起立支板部に、同一軸線上で左右に離隔する左軸受孔と右軸受孔をそれぞれ設け、前記左起立支板部と右起立支板部の下縁にはそれぞれ全体でＬ形となる左底板部と右底板部が接続され、かつ左起立支板部と右起立支板部の前縁に前起立支板部が接続されるブラケットを設け、このブラケットをケーシングの上面に連接し、ケーシングの内方の天井面に、前記ブラケットの左底板部と右底板部とに対面して受け金が配備され、前記ブラケットの左底板部に設けられた左取付け孔と右底板部と右取付け孔とに取付けネジをそれぞれ挿通し、ケーシングの上面より天井面に貫通する左貫通孔と右貫通孔を通して天井面より下方へ突出し、対応する前記受け金に設けた左ネジ孔と右ネジ孔にそれぞれ螺合し、取付けネジの頭部をケーシングの左底板部と右底板部とにそれぞれ当て、受け金をネジ部により引き上げてケーシングを上下で締付けてブラケットをケーシングの上面に固着し、前記左起立支板部と右起立支板部の間に略Ｕ字形の持ち手の基部の端面を前面側に向けて差入れ、前記左起立支板部の左軸受孔と、右起立支板部の右軸受孔に差し渡された支軸を略Ｕ字形の持ち手の基部に設けた軸受孔に遊嵌挿し、その支軸を中心として略Ｕ字形の持ち手を略９０度回転自在に支承し、前記略Ｕ字形の持ち手の基部に、軸受孔の後方側に固着用孔を上下に貫通して開設し、前記受け金に設けた固着用ネジ孔に螺合する固着用締付けネジを遊嵌挿してなる合図灯における持ち手の折畳み可能な配備装置。
【考案の詳細な説明】
【技術分野】
【０００１】
本考案は、鉄道の列車の発着ホームで職員が、乗客の乗降の完了を乗務員に知らせるために、主として使用する合図灯に関するものである。
【背景技術】
【０００２】
従来、この種の合図灯の持ち手は固定されており、持ち手の高さは決まっていた。そのために、嵩張り大きな包装箱を必要とする欠点があった。また、使用時おいても、保管時には、大きな収容量の収容庫を必要とした。
また、従来、使用時の長さを格納時に、軸を中心に二つ折りして小さく折畳むことのできる誘導灯が実開平５−６５０２号公報に掲載されている。
【特許文献１】実開平５−６５０２号公報
【考案の開示】
【考案が解決しようとする課題】
【０００３】
前記実開平５−６５０２号公報に示すように、支軸を中心に回転し、合図灯を折畳み、その全高の縮小を図るが、ロック機構がないため、支軸を中心とする動揺を与え、灯部が柄部に対してぐらつき、使い勝手が悪いものである。
【０００４】
そこで、この考案は、前述の欠点を解消することを目的になされたものである。
【課題を解決するための手段】
【０００５】
ケーシングの上面に、左右に離隔対面して取付けられる左起立支板部と右起立支板部に、同一軸線上で左右に離隔する左軸受孔と右軸受孔をそれぞれ設け、前記左起立支板部と右起立支板部の下縁に底板部が接続されるブラケットを設け、このブラケットをケーシングの上面に固着し、前記左起立支板部と右起立支板部の間に持ち手の基部の端面を前面に差入れ、前記左起立支板部の左軸受孔と右起立支板部の右軸受孔に差し渡された支軸を持ち手の基部に設けた軸受孔に遊嵌挿し、その支軸を中心として持ち手を略９０度回転自在に支承し、その持ち手の基部の軸受孔の後方側に固着用孔を上下に貫通して開設し、ケーシングの上面または内方に設けた受け金の固着用ネジ孔に螺合する固着用締付けネジを遊嵌挿してなる合図灯における持ち手の折畳み可能な配備装置にある。
【０００６】
前記左起立支板部と右起立支板部の前縁には前起立支板部が接続されるブラケットを設けなるものとしてもよいものである。
【０００７】
前記固着用締付けネジは、摘んで回すことが可能なように、上端に摘み部を設け、その下方を締付け当て面となるフランジに形成し、かつ、ネジ部に外れ止を備えてなるものとしてもよいものである。
【０００８】
前記持ち手の基部の固着用孔の下半は、拡径して固着用締付けネジのネジ部の外れ止を収容する収容部に形成してなるものとしてもよいものである。
【０００９】
前記持ち手は、略Ｕ字形に形成してなるものとしてもよいものである。
【００１０】
前記受け金は、両端部に比較して中央部を中高に、一枚の鋼板を折曲形成し、中央部の両脇の左右斜面部をケーシングの天井面から下方へ突出して形成される取付け座の内側面に連接して配備してなるものとしてもよいものである。
【００１１】
合成樹脂の射出成型体であるボックス形のケーシングの上面に、左右に離隔対面して取付けられる左起立支板部と右起立支板部に、同一軸線上で左右に離隔する左軸受孔と右軸受孔をそれぞれ設け、前記左起立支板部と右起立支板部の下縁にはそれぞれ全体でＬ形となる左底板部と右底板部が接続され、かつ左起立支板部と右起立支板部の前縁に前起立支板部が接続されるブラケットを設け、このブラケットをケーシングの上面に連接し、ケーシングの内方の天井面に、前記ブラケットの左底板部と、右底板部とに対面して受け金が配備され、前記ブラケットの左底板部に設けられた左取付け孔と右底板部と右取付け孔とに取付けネジをそれぞれ挿通し、ケーシングの上面より天井面に貫通する左貫通孔と右貫通孔を通して天井面より下方へ突出し、対応する前記受け金に設けた左ネジ孔と右ネジ孔にそれぞれ螺合し、取付けネジの頭部をケーシングの左底板部と右底板部とにそれぞれ当て、受け金をネジ部により引き上げてケーシングを上下で締付けてブラケットをケーシングの上面に固着し、前記左起立支板部と右起立支板部の間に略Ｕ字形の持ち手の基部の端面を前面側に向けて差入れ、前記左起立支板部の左軸受孔と、右起立支板部の右軸受孔に差し渡された支軸を略Ｕ字形の持ち手の基部に設けた軸受孔に遊嵌挿し、その支軸を中心として略Ｕ字形の持ち手を略９０度回転自在に支承し、前記略Ｕ字形の持ち手の基部に、軸受孔の後方側に固着用孔を上下に貫通して開設し、前記受け金に設けた固着用ネジ孔に螺合する固着用締付けネジを遊嵌挿してなる合図灯における持ち手の折畳み可能な配備装置としてもよいものである。
【考案の効果】
【００１２】
本考案の合図灯における持ち手の折畳み可能な配備装置は、前述のように構成されるから、持ち手の基部は、ブラケットの左右起立支板部間に、かつ、支軸に軸支されて配備され、その支軸を中心に持ち手の全体を回動自在にすることができ、合図灯の全高を回動した分だけ低くすることができ、包装箱のコストの低減を図ることができる。また、充電時において、高さを低くすることができるから、その分だけ多くの個数を一度に充電できるものである。
【００１３】
また、固着用締付ネジの上端の摘み部を摘んで容易に回すことができ、使用状態の固着または折畳み可能状態の開放の操作を容易に行うことができる。特に、ケーシングの上面に接触する部分を摘み部より大幅に小径のフランジに形成する構成では、回転力を大きくすることができ、接触圧を大きくして、堅く締付けることができ、持ち手のがたつきをなくし、また、緩むことがないものである。
【考案を実施するための最良の形態】
【００１４】
合成樹脂の射出成型体であるボックス形のケーシングの上面に、左右に離隔対面して取付けられる左起立支板部と右起立支板部に、同一軸線上で左右に離隔する左軸受孔と右軸受孔をそれぞれ設け、前記左起立支板部と右起立支板部の下縁にはそれぞれ全体でＬ形となる左底板部と右底板部が接続され、かつ左起立支板部と右起立支板部の前縁に前起立支板部が接続されるブラケットを設け、このブラケットをケーシングの上面に連接し、ケーシングの内方の天井面に、前記ブラケットの左底板部と右底板部とに対面して受け金が配備され、前記ブラケットの左底板部に設けられた左取付け孔と右底板部と右取付け孔とに取付けネジをそれぞれ挿通し、ケーシングの上面より天井面に貫通する左貫通孔と右貫通孔を通して天井面より下方へ突出し、対応する前記受け金に設けた左ネジ孔と右ネジ孔にそれぞれ螺合し、取付けネジの頭部をケーシングの左底板部と右底板部とにそれぞれ当て、受け金をネジ部により引き上げてケーシングを上下で締付けてブラケットをケーシングの上面に固着し、前記左起立支板部と右起立支板部の間に略Ｕ字形の持ち手の基部の端面を前面側に向けて差入れ、前記左起立支板部の左軸受孔と、右起立支板部の右軸受孔に差し渡された支軸を略Ｕ字形の持ち手の基部に設けた軸受孔に遊嵌挿し、その支軸を中心として略Ｕ字形の持ち手を略９０度回転自在に支承し、前記略Ｕ字形の持ち手の基部に、軸受孔の後方側に固着用孔を、その下半を拡径、上下に貫通して開設し、前記受け金を、両端部に比較して中央部を中高に、一枚の鋼板を折曲形成し、中央部の両脇の左右斜面部をケーシングの天井面から下方へ突出して形成される取付け座の内側面に連接して配備し、その受け金に設けた固着用ネジ孔に螺合する固着用締付けネジを遊嵌挿してなる合図灯における持ち手の折畳み可能な配備装置。
【実施例】
【００１５】
以下、本考案の合図灯における持ち手の折畳み可能な配備装置を実施例として示す図面により説明すると、合成樹脂の射出成型体であるボックス形のケーシング１の上面１ａに、左右に離隔対面して取付けられる左起立支板部２ａと右起立支板部２ｂに、同一軸線上で左右に離隔する左軸受孔３ａと右軸受孔３ｂをそれぞれ設け、前記起立支板部２ａ、２ｂの下縁にはそれぞれ全体でＬ形となる左底板部４ａと右底板部４ｂが接続されるブラケット５を設け、このブラケット５を、前記図面に示すように、ボックス形のケーシング１の上面１ａに連接し、ボックス形のケーシング１の内方の天井面１ｂに、前記ブラケット５の左底板部４ａと右底板部４ｂとに対面して受け金６が配備され、前記ブラケット５の底板部４ａ、４ｂに前後に離隔して設けられた左取付け孔７ａ、７ａと右取付け孔７ｂ、７ｂに取付けネジ８をそれぞれ挿通し、ボックス形のケーシング１の上面１ａより天井面１ｂに貫通する左貫通孔９ａ、９ａと右貫通孔９ｂ、９ｂを通して天井面１ｂより下方へ突出し、対応する前記受け金６に設けた左ネジ孔１０ａ、１０ａと右ネジ孔１０ｂ、１０ｂにそれぞれ螺合し、取付けネジ８の頭部８ａをケーシング１の左底板部４ａと右底板部４ｂとにそれぞれ当て、受け金６をネジ部８ｂにより引き上げてボックス形のケーシング１を上下で締付けてブラケット５をケーシング１の上面に固着している。
【００１６】
図面の実施例では、前記ブラケット５において、左起立支板部２ａと右起立支板部２ｂの前端縁には、前起立支板部２ｃにより一体に接続されている。
【００１７】
前記左起立支板部２ａと右起立支板部２ｂの間に略Ｕ字形の持ち手１１の基部１１ａの端面を前面側に向けて差入れ、その左起立支板部２ａの左軸受孔３ａと右起立支板部２ｂの右軸受孔３ｂに差し渡された支軸１２を、略Ｕ字形の持ち手１１の基部１１ａに設けた軸受孔１３に遊嵌挿し、略Ｕ字形の持ち手１１を、支軸１２を中心に略９０度回転自在に支承している。
【００１８】
前記略Ｕ字形の持ち手１１の基部１１ａにおいて、軸受孔１３の後方側に固着用孔１４を上下に貫通して開設し、前記受け金６に設けた固着用ネジ孔１５に螺合する固着用締付けネジ１６を遊嵌挿し、この固着用締付けネジ１６は、摘んで回すことが可能なように、上端に摘み部１６ａを設け、その下方を締付け当て面となるフランジ１６ｂに形成し、かつ、ネジ部１６ｃに外れ止１７を備えている。
【００１９】
前記略Ｕ字形の持ち手１１の基部１１ａの固着用孔１４の下半は、拡径して前記ネジ部１６ｃの外れ止１７を収容する収容部１８に形成している。したがって、固着用締付けネジ１６を固着用孔１４にセットした後、外れ止１７をネジ部１６ｃに押し込み嵌合し、同時に収容部１８内に収容し、固着用締付けネジ１６を上下に所要高さ調整移動が自在であると共に、持ち手１１の基部１１ａから脱落しないように配備している。
【００２０】
前記受け金６は、この実施例では、両端部６ａ、６ｂに比較して中央部６ｃを中高に、一枚の鋼板を折曲形成し、中央部６ｃの両脇の左斜面部６ｃ１と右斜面部６ｃ２をケーシング１の天井面１ｂから下方へ突出して形成される取付け座１ｂ１、１ｂ２の内側面に連接し、両端の位置を自動的に決め、取付け位置を前後の調整移動ののみでできるよう設けている。なお、受け金６は実施の一例を示すものであるから、前記ケーシング１の成型時に内蔵さてもよく、また、ケーシング１の上面に取付け配置してもよいものである。また、固着用締付けネジ１６を螺合する固着用ネジ孔１５部分と、取付けネジ８を螺合する左ネジ孔１０ａ、１０ａと、右ネジ孔１０ｂ、１０ｂとに分割してもよいものである。また取付けネジ８を螺合する左ネジ孔１０ａ、１０ａと、右ネジ孔１０ｂ、１０ｂはケーシング１自体に設け、その上面に開口するものでもよいものである。
【００２１】
メインスイッチ１９を図２において示すように、矢印の方向に移動させると電源が入り、図示しないがＬＥＤが点灯し、そのＬＥＤ光が前面の集光レンズ２０から前方へ照射される。メインスイッチ１９は、矢印と反対側に移動すると、電源が切れ、ＬＥＤは消灯する。実施例の合図灯では、メインスイッチ１９の他に切替スイッチ２１があり、図示のように、この切替スイッチ２１を直立した状態では、白色のＬＥＤが点灯し、次に、切替スイッチ２１を、背面から見て左側へ倒したとき青色のＬＥＤが点灯し、右側へ倒したとき赤色のＬＥＤが点灯するように設けている。一般的には、メインスイッチ１９は、常時入れた状態で使用する。
【００２２】
ケーシング１の底面１ｃにおいて、側縁よりで支脚を兼用する−電極脚２２を下方へ突設し、その間の中央で、−電極脚２２より低く下方へ＋電極接点２３を突設している。したがって、合図灯を充電器の端子板（図示しない）に置き、端子板上の給電接点板（図示しない）に合図灯の−電極脚２２と＋電極脚２３をそれぞれ接触して充電をすることができるものである。
【００２３】
本考案の合図灯における持ち手の折畳み可能な配備装置は、前述のように構成されるから、持ち手１１の基部１１ａは、ブラケット５の左右起立支板部２ａ、２ｂ間に、かつ、支軸２に軸支されて配備され、その支軸２を中心に持ち手１１の全体を回動自在にすることができ、図１に示す位置から図３に示す位置に回動し、合図灯の全高を回動した分だけ低くすることができる。
【００２４】
次に、持ち手１１を折畳み可能にするには、固着用締付ネジ１６の上端の摘み部１６ａを摘んで回すことによりができる。また、特に、ケーシング１の上面１ａに接触する部分を摘み部１６ａより大幅に小径のフランジ１６ｂに形成するものでは、回転力を大きくして接触圧を大きくすることができ、堅く締付けて持ち手１１のがたつきをなくし、また、緩むことがないものとすることができる。
【産業上の利用可能性】
【００２５】
本考案は、持ち手の展開時にロックを掛けることができ、固定持ち手と同じ固定機能をもち、持ちやすく、また、全体を振るなどの揺動をあたえても軸を中心として追従揺動をおこすことがなく、よって、確実に合図を送ることができる。また、包装箱を縮小し、充電時の収容容積を縮小し、充電場所の無駄なスペースを無くし、場所の活用を図ることができる。
【図面の簡単な説明】
【００２６】
【図１】本考案の合図灯の持ち手を使用状態に展開し、かつその状態に固定した使用状態外観側面図である。
【図２】同じく、図１のＡ−Ａ線で一部を切断した一部断面背面図である。
【図３】本考案の持ち手を、支軸を中心に９０度回転し、縮小した格納状態を示す格納状態の外観側面図である。
【図４】持ち手の基部を縦断した部分縦断面図である。
【図５】持ち手の基部を軸支するブラケットと、ブラケットを取付ける取付けネジと、その取付けネジと、固着用締付けネジを螺合する受け金を示す斜視図である。
【符号の説明】
【００２７】
１  ボックス形のケーシング
１ａ  上面
１ｂ  天井面
１ｂ１  取付け座
１ｂ２  取付け座
２ａ  左起立支板部
２ｂ  右起立支板部
３ａ  左軸受孔
３ｂ  右軸受孔
４ａ  左底板部
４ｂ  右底板部
５  ブラケット
６  受け金
６ａ  左端部
６ｂ  右端部
６ｃ  中央部
６ｃ１  左斜面部
６ｃ２  右斜面部
７ａ  左取付け孔
７ｂ  右取付け孔
８  取付けネジ
８ａ  頭部
８ｂ  ネジ部
９ａ  左貫通孔
９ｂ  右貫通孔
１０ａ  左ネジ孔
１０ｂ  右ネジ孔
１１  略Ｕ字形の持ち手
１１ａ  基部
１２  支軸
１３  軸受孔
１４  固着用孔
１５  固着用ネジ孔
１６  固着用締付けネジ
１６ａ  摘み部
１６ｂ  フランジ
１６ｃ  ネジ部
１７  外れ止
１８  収容部
１９  メインスイッチ
２０  集光レンズ
１９  メインスイッチ
２１  切替スイッチ
２２  −電極脚
２３  ＋電極脚
【図１】
0003110771.tif 000003
【図２】
0003110771.tif 000004
【図３】
0003110771.tif 000005
【図４】
0003110771.tif 000006
【図５】
0003110771.tif 000007